【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
高分子無機ナノ粒子組成物であって、
１つ以上の層間化合物（Ａ）及び１つ以上のポリマー化合物（Ｂ）を含む混合物を粉砕することによって得られ、
（Ａ）  １つ以上の層間化合物が、分子式ＭＸ2を有する金属カルコゲニドを含み、式中、Ｍは、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ジルコニウム（Ｚｒ）、ニオブ（Ｎｂ）、モリブデン（Ｍｏ）、テクネチウム（Ｔｃ）、ルテニウム（Ｒｕ）、ロジウム（Ｒｈ）、パラジウム（Ｐｄ）、銀（Ａｇ）、カドミウム（Ｃｄ）、ハフニウム（Ｈｆ）、タンタル（Ｔａ）、タングステン（Ｗ）、レニウム（Ｒｅ）、オスミウム（Ｏｓ）、イリジウム（Ｉｒ）、白金（Ｐｔ）、金（Ａｕ）、水銀（Ｈｇ）及びそれらの組合せからなる群から選択される金属元素であり、Ｘは、硫黄（Ｓ）、セレン（Ｓｅ）、テルル（Ｔｅ）、酸素（Ｏ）及びそれらの組合せからなる群から選択されるカルコゲン元素であり、
かつ
（Ｂ）  １つ以上のポリマー化合物は、以下、
ａ）  成分ａ）として、
ａ１）  ヒドロキシアルキル（メタ）アクリレート、
ａ２）  アミノアルキル（メタ）アクリレート及びアミノアルキル（メタ）アクリルアミド、
ａ３）  （メタ）アクリル酸のニトリル及び他の窒素含有（メタ）アクリレート、
ａ４）  アリール（メタ）アクリレート、ここで、それぞれの場合にアクリル残基は非置換であるか又は４回まで置換されていてよい、
ａ５）  カルボニル含有（メタ）アクリレート、
ａ６）  エーテルアルコールの（メタ）アクリレート、
ａ７）  ハロゲン化アルコールの（メタ）アクリレート、
ａ８）  オキシラニル（メタ）アクリレート、
ａ９）  リン、ホウ素及び／又はケイ素含有（メタ）アクリレート、
ａ１０）  硫黄含有（メタ）アクリレート、
ａ１１）  複素環式（メタ）アクリレート、
ａ１２）  マレイン酸及びマレイン酸誘導体、
ａ１３）  フマル酸及びフマル酸誘導体、
ａ１４）  ハロゲン化ビニル、
ａ１５）  ビニルエステル、
ａ１６）  芳香族基を含有するビニルモノマー、
ａ１７）  複素環式ビニル化合物、
ａ１８）  ビニルエーテル及びイソプレニルエーテル、
ａ１９）  メタクリル酸及びアクリル酸、
からなるリストから選択される、１つ以上のポリマー化合物（Ｂ）に対して１〜６０質量％の１つ以上の官能性モノマー、
ｂ）  １つ以上のポリマー化合物（Ｂ）に対して１０〜９９質量％の１つ以上のアルキル（メタ）アクリレートモノマー、及び
ｃ）  １つ以上のポリマー化合物（Ｂ）に対して０〜８９質量％の、１つ以上の（メタ）アクリル酸のエステルと数平均分子量（Ｍｎ）５００〜１００００ｇ／ｍｏｌを有する１つ以上のヒドロキシル化水素化ポリブタジエンとの反応生成物
を含むモノマー組成物を重合することによって得られ、かつ
１つ以上の層間化合物（Ａ）と１つ以上のポリマー化合物（Ｂ）との質量比が、２０：１〜１：５である、前記高分子無機ナノ粒子組成物。
【請求項２】
成分ｂ）において、１つ以上のアルキル（メタ）アクリレートモノマーのアルキル基のそれぞれが、独立して、直鎖、環状又は分枝鎖であり、かつ炭素原子１〜４０個を含む、請求項１に記載の高分子無機ナノ粒子組成物。
【請求項３】
１つ以上のアルキル（メタ）アクリレートモノマーのそれぞれが、独立して、
ｂ１）  式（Ｉ）
【化１】
2021512188.tif 000001
［式中、Ｒは水素又はメチルであり、Ｒ1は、炭素原子１〜８個、好ましくは炭素原子１〜５個、より好ましくは炭素原子１〜３個を有する直鎖、分枝鎖又は環状のアルキル基を意味する］であるか、
ｂ２）  式（ＩＩ）
【化２】
2021512188.tif 000002
［式中、Ｒは水素又はメチルであり、Ｒ2は、炭素原子９〜１５個、好ましくは炭素原子１２〜１５個、より好ましくは炭素原子１２〜１４個を有する直鎖、分枝鎖又は環状のアルキル基を意味する］であるか、又は
ｂ３）  式（ＩＩＩ）
【化３】
2021512188.tif 000003
［式中、Ｒは水素又はメチルであり、Ｒ3は、炭素原子１６〜４０個、好ましくは炭素原子１６〜３０個、より好ましくは炭素原子１６〜２０個を有する直鎖、分枝鎖又は環状のアルキル基を意味する］である、請求項２に記載の高分子無機ナノ粒子組成物。
【請求項４】
１つ以上のポリマー化合物（Ｂ）が、成分ａ）及びｂ）を含むが、成分ｃ）を含んでいないモノマー組成物を重合することによって得られ、ここで、１つ以上のポリマー化合物（Ｂ）が、５０００〜３０００００ｇ／ｍｏｌ、より好ましくは１００００〜２０００００ｇ／ｍｏｌの質量平均分子量（Ｍw）を有する、請求項１から３までのいずれか１項に記載の高分子無機ナノ粒子組成物。
【請求項５】
１つ以上のポリマー化合物（Ｂ）が、成分ａ）及びｃ）、並びに成分ｂ）を含むモノマー組成物を重合することによって得られ、ここで、１つ以上のポリマー化合物（Ｂ）は、１００００〜１００００００ｇ／ｍｏｌ、より好ましくは５００００〜１００００００ｇ／ｍｏｌ、さらにより好ましくは１０００００〜１００００００ｇ／ｍｏｌ、最も好ましくは２０００００〜５０００００ｇ／ｍｏｌの質量平均分子量（Ｍw）を有する、請求項１から３までのいずれか１項に記載の高分子無機ナノ粒子組成物。
【請求項６】
１つ以上の層間化合物（Ａ）と１つ以上のポリマー化合物（Ｂ）との質量比が、１０：１〜１：２、好ましくは５：１〜１：１、より好ましくは４：１〜２：１である、請求項１から５までのいずれか１項に記載の高分子無機ナノ粒子組成物。
【請求項７】
１つ以上のポリマー化合物（Ｂ）が、
ａ）  １つ以上のポリマー化合物（Ｂ）に対して、１〜６０質量％、好ましくは２〜５０質量％、より好ましくは２〜４０質量％、最も好ましくは３〜３５質量％の成分ａ）としての１つ以上の官能性モノマー、及び
ｂ１）  １つ以上のポリマー化合物（Ｂ）に対して、０〜５０質量％、好ましくは０〜４０質量％、より好ましくは０〜２０質量％、最も好ましくは０〜１０質量％の成分ｂ）として１つ以上のアルキル（メタ）アクリレートモノマー、及び
ｂ２）  １つ以上のポリマー化合物（Ｂ）に対して、４０〜９９質量％、好ましくは５０〜９８質量％、より好ましくは６０〜９８質量％、最も好ましくは６５〜９７質量％の、成分ｂ）として１つ以上のアルキル（メタ）アクリレートモノマー、
を含むモノマー組成物を重合することにより得られ、モノマー組成物の全てのモノマーの量は、合計で１００質量％になる、請求項３、４及び６のいずれか１項に記載の高分子無機ナノ粒子組成物。
【請求項８】
１つ以上のポリマー化合物（Ｂ）が、
ａ）１つ以上のポリマー化合物（Ｂ）に対して、１〜６０質量％、好ましくは２〜５０質量％、より好ましくは５〜４０質量％、最も好ましくは５〜２５質量％の成分ａ）としての１つ以上の官能性モノマー、及び
ｂ）１つ以上のポリマー化合物（Ｂ）に対して、１０〜９５質量％、好ましくは２０〜８０質量％、より好ましくは３０〜７０質量％、最も好ましくは３５〜６０質量％の成分ｂ）として１つ以上のアルキル（メタ）アクリレートモノマー、及び
ｃ）１つ以上のポリマー化合物（Ｂ）に対して、１〜８９質量％、好ましくは１０〜８０質量％、より好ましくは２０〜７０質量％、最も好ましくは２５〜６０質量％の、成分ｃ）として１つ以上の（メタ）アクリル酸のエステルと５００〜１００００ｇ／ｍｏｌの数平均分子量（Ｍn）を有する１つ以上のヒドロキシル化水素化ポリブタジエンとの反応生成物、
を含むモノマー組成物を重合することにより得られ、モノマー組成物の全てのモノマーの量は、合計で１００質量％になる、請求項１から３及び５から６までのいずれか１項に記載の高分子無機ナノ粒子組成物。
【請求項９】
請求項１から８までのいずれか１項に記載の高分子無機ナノ粒子組成物を製造するための方法であって、
（ａ）１つ以上の層間化合物（Ａ）を準備するステップ、
（ｂ）１つ以上のポリマー化合物（Ｂ）を準備するステップ、
（ｃ）好ましくは、溶媒（Ｃ）を準備するステップ、
（ｄ）少なくとも１つ以上の層間化合物（Ａ）と１つ以上のポリマー化合物（Ｂ）とを合して混合物を得るステップ、好ましくは少なくとも１つ以上の層間化合物（Ａ）と１つ以上のポリマー化合物（Ｂ）と溶媒（Ｃ）とを合して混合物を得るステップ、及び
（ｅ）混合物を粉砕するステップ
を含む、前記方法。
【請求項１０】
少なくとも、１つ以上の層間化合物（Ａ）、１つ以上のポリマー化合物（Ｂ）及び溶媒（Ｃ）を合して混合物を得る請求項９に記載の方法であって、ステップ（ｅ）は、好ましくは、０．１〜１０ｋＷｈ／ｋｇ、より好ましくは１〜５ｋＷｈ／ｋｇ、最も好ましくは１．５〜３ｋＷｈ／ｋｇのエネルギーを混合物に導入するボールミルプロセスを介して混合物を粉砕することを含む方法。
【請求項１１】
潤滑剤組成物のための添加剤としての、請求項１から８までのいずれか１項に記載の高分子無機ナノ粒子組成物の使用。
【請求項１２】
以下、
（ａ）基油、及び
（ｂ）請求項１から８までのいずれか１項に記載の高分子無機ナノ粒子組成物
を含む、配合物。
【請求項１３】
基油が、ＡＰＩ群Ｉの基油、ＡＰＩ群ＩＩの基油、ＡＰＩ群ＩＩＩの基油、ＡＰＩ群ＩＶの基油、及びＡＰＩ群Ｖの基油、又はそれら基油の２つ以上の混合物からなるリストから選択される、請求項１２に記載の配合物。
【請求項１４】
配合物の全質量に対して、（ｉ）基油４０〜９５質量％、より好ましくは７０〜９０質量％、及び（ｉｉ）高分子無機ナノ粒子組成物５〜６０質量％、より好ましくは１０〜３０質量％を含む、請求項１２又は１３に記載の配合物。
【請求項１５】
配合物の全質量に対して、（ｉ）基油５０〜９９．９９質量％、より好ましくは６５〜９９．９９質量％、さらにより好ましくは７５〜９９．９質量％、及び（ｉｉ）高分子無機ナノ粒子組成物０．０１〜５０質量％、より好ましくは０．０１〜３５質量％、さらにより好ましくは０．１〜２５質量％を含む、請求項１２又は１３に記載の配合物。